(57)【要約】【課題】  斬新で光装飾効果に優れ、かつ見映えのよい遊技機用発光素子式装飾装置と、それを用いた遊技機用入賞装置を提供する。【解決手段】  隙間Ｓは、貫通孔１３の内周壁面１３ａと装飾板状部２１の外周壁面２１ａとの間に形成される。貫通孔１３の内周壁面１３ａと装飾板状部２１の外周壁面２１ａとは、ともに前方側ほど直線的に増加する形で外側に拡がる円錐状テーパ面を構成して対向配置されているので、隙間Ｓはランプシェード状空間を形成する。貫通孔１３の後端開口縁１３ｃは、装飾板状部２１の前端外周縁２１ｃよりも径方向内側に位置するように配置されている。【選択図】  図４
2006204629.tif 000002
【特許請求の範囲】
【請求項１】
遊技者側から見て所定の広がりを有する板状に形成され、遊技者の位置する前方側に遊技球を通過させるための球通過面、その反対側の後方側に遊技盤の盤面に取り付けるための取付面がそれぞれ形成されるとともに、厚さ方向に貫通する貫通孔を有する非透光性のベース部と、
そのベース部とは別体に構成されるとともに、そのベース部の貫通孔の内部に、自身の外周壁面と前記貫通孔の内周壁面とがともに前方側ほど単調に増加する形で外側に拡がる拡径壁面を構成して対向配置されることによって、それら拡径壁面の間に所定の隙間が形成されるように嵌め込み配置され、非透光性を有する光遮断部と、
前記ベース部の貫通孔の後方においてその貫通孔の後端開口縁よりも内側に配置された発光素子と、その発光素子が実装された発光基板とを有する発光部と、を備え、
前記貫通孔の後端開口縁は前記光遮断部の前端外周縁よりも内側に位置し、
前記発光素子からの光は、前記光遮断部の外周壁面と前記貫通孔の内周壁面との間に形成された隙間を通り、かつそれらの壁面で反射されて、前記光遮断部又は貫通孔の輪郭を浮かび上がらせるように装飾することを特徴とする遊技機用発光素子式装飾装置。
【請求項２】
前記隙間は、前記光遮断部の外周壁面と前記貫通孔の内周壁面との離間距離が、後方側ほど大きく前方側ほど小さく形成されている請求項１に記載の遊技機用発光素子式装飾装置。
【請求項３】
前記光遮断部の内部において厚さ方向に貫通形成された挿通孔に、透光性を有する光通過部が配置され、
前記発光素子からの光は、前記光遮断部又は貫通孔の輪郭を浮かび上がらせるように装飾するとともに、前記光通過部を透過して遊技者側に到達する請求項１又は２に記載の遊技機用発光素子式装飾装置。
【請求項４】
請求項１ないし３のいずれか１項に記載の遊技機用発光素子式装飾装置において、
前記ベース部の前方側に配置され、前後方向の軸線周りでの回動変位により入賞口への遊技球の入球のし易さが変化する一対の回動翼片と、
前記遊技盤の盤面とは反対側の裏面側に配置され、前記回動翼片を回動変位させるための駆動源と、
その駆動源の駆動力を前記回動翼片に伝達するための伝動機構と、
を備えることを特徴とする遊技機用入賞装置。
【請求項５】
前記光遮断部の前端面は、前記入賞口の後方側に位置して、前記ベース部の球通過面と面一状に配置されている請求項４に記載の遊技機用入賞装置。
【請求項６】
前記貫通孔は、前記入賞口へ入球した遊技球を前記ベース部の後方側に誘導・案内する球排出孔と一体化され、
これら一体化された貫通孔と球排出孔とは、前記入賞口の後方側に位置して、前記ベース部で厚さ方向に貫通形成されている請求項４又は５に記載の遊技機用入賞装置。
【請求項７】
前記貫通孔は前記球排出孔の上部に連続して形成されるとともに、
前記光遮断部の下端部は、前記球排出孔の底部に形成された排出樋に対応してゲートを構成し、前記入賞口へ入球した遊技球を１個ずつ後方側へ案内・排出する請求項６に記載の遊技機用入賞装置。
【請求項８】
前記回動翼片は、透光性を有するとともに、回動変位する際に正面視で前記隙間と少なくとも部分的かつ一時的に重なり合うように配置されている請求項４ないし７のいずれか１項に記載の遊技機用入賞装置。
【請求項９】
請求項１ないし３のいずれか１項に記載の遊技機用発光素子式装飾装置において、
前記ベース部の前方側に形成された入賞口へ入球した遊技球を前記ベース部の後方側に誘導・案内するために、前記ベース部に厚さ方向に貫通形成された球排出孔から後方側に配置された入賞検知手段に向けて延設される誘導樋部と、
前記ベース部に形成された球排出孔を覆うように、前記ベース部の前方側に配置される前側装飾部と、
を備えることを特徴とする遊技機用入賞装置。
【請求項１０】
前記隙間は、前記光遮断部と前記ベース部の貫通孔とを前記入賞口の下方において対向配置することによって形成されている請求項９に記載の遊技機用入賞装置。
【請求項１１】
前記光遮断部は、前記誘導樋部及び／又は前記前側装飾部の一部が、前記ベース部の貫通孔の内部において前記隙間を形成しつつ配置されることによって構成され、
前記発光素子からの光は、前記光遮断部の外周壁面と前記貫通孔の内周壁面との間に形成された隙間を通り、かつそれらの壁面で反射されて、前記光遮断部又は貫通孔の輪郭を浮かび上がらせるように装飾する請求項９又は１０に記載の遊技機用入賞装置。
【発明の詳細な説明】
【技術分野】
【０００１】
本発明は、遊技機用発光素子式装飾装置及びそれを用いた遊技機用入賞装置に関する。
【背景技術】
【０００２】
例えば、電動チューリップ等の遊技機用入賞装置において、入賞装置を遊技盤の盤面に取り付けるためのベース板（台板ともいう）の後方（裏側）にランプを設け、ベース板の中央部に形成されたレンズ部を後方側から照明することによって、光装飾効果を高める工夫がなされている（特許文献１，２参照）。
【０００３】
【特許文献１】実開平６−２９５８１号公報
【特許文献２】特開平８−３３６６３８号公報
【０００４】
このような入賞装置等を遊技盤面上に設置することによって、遊技盤面上の照明効果（光装飾効果）を高めることができる。ところが、たとえベース板を透明樹脂板で構成しても、遊技者側から見ればベース板の中央部のみが明るく光り、その周辺部での明るさには限界があるので、十分な光装飾効果を得られないおそれがあった。特に、ランプに代わって発光素子（ＬＥＤ）を光源に用いた場合には、光の直進性が高いために発光素子付近のみが光って見える現象を生じやすく、入賞装置等としては単調な光装飾効果しか得られない可能性がある。
【発明の開示】
【発明が解決しようとする課題】
【０００５】
本発明の課題は、斬新で光装飾効果に優れ、かつ見映えのよい遊技機用発光素子式装飾装置と、それを用いた遊技機用入賞装置を提供することにある。
【課題を解決するための手段及び発明の効果】
【０００６】
上記課題を解決するために、本発明の遊技機用発光素子式装飾装置は、
遊技者側から見て所定の広がりを有する板状に形成され、遊技者の位置する前方側に遊技球を通過させるための球通過面、その反対側の後方側に遊技盤の盤面に取り付けるための取付面がそれぞれ形成されるとともに、厚さ方向に貫通する貫通孔を有する非透光性のベース部と、
そのベース部とは別体に構成されるとともに、そのベース部の貫通孔の内部に、自身の外周壁面と前記貫通孔の内周壁面とがともに前方側ほど単調に増加する形で外側に拡がる拡径壁面を構成して対向配置されることによって、それら拡径壁面の間に所定の隙間が形成されるように（例えば前方側から）嵌め込み配置され、非透光性を有する光遮断部と、
前記ベース部の貫通孔の後方においてその貫通孔の後端開口縁よりも内側に配置された発光素子と、その発光素子が実装された発光基板とを有する発光部と、を備え、
前記貫通孔の後端開口縁は前記光遮断部の前端外周縁よりも内側に位置し、
前記発光素子からの光は、前記光遮断部の外周壁面と前記貫通孔の内周壁面との間に形成された隙間を通り、かつそれらの壁面で反射されて、前記光遮断部又は貫通孔の輪郭を浮かび上がらせるように装飾することを特徴とする。
【０００７】
この遊技機用発光素子式装飾装置によれば、光遮断部又は貫通孔の輪郭が、光遮断部の外周壁面と貫通孔の内周壁面との間に形成された隙間を通る光、及びその隙間を形成する壁面で反射される光によって浮かび上がるように装飾されるので、斬新で画期的な光装飾効果が得られる。このとき、隙間を形成する光遮断部の外周壁面と貫通孔の内周壁面とは、ともに前方側ほど単調に増加する形で外側に拡がる拡径壁面を構成して対向配置され、貫通孔の後端開口縁が光遮断部の前端外周縁よりも内側に位置する。これによって、発光素子からの光は、隙間を形成する両拡径壁面で反射されやすくなり、かつ内側から外側に向かって拡がる態様となるため、浮き出る（飛び出す）ようなダイナミックで迫力のある光装飾効果が得やすくなる。なお、拡径壁面としては、角錐状テーパ面等を構成する際の平面状の壁面、及び円錐状テーパ面等を構成する際の曲面状の壁面のいずれであってもよい。また、拡径壁面は曲線状の傾斜断面を有していてもよい。
【０００８】
しかも、ベース部と光遮断部とが非透光性を有し、隙間を形成する光遮断部の外周壁面と貫通孔の内周壁面とが拡径壁面として対向配置され、貫通孔の後端開口縁が光遮断部の前端外周縁よりも内側に位置することによって、発光素子の点灯時・消灯時を問わず遊技者からはベース部や光遮断部の後方が透けて見えたり隙間を突き抜けて後方の発光素子等が見えたりしないので、見映えがよい。なお、ベース部と光遮断部とは（例えば一体成形により）一体的に構成してもよい。非透光性を有するベース部や光遮断部には、不透明な合成樹脂材料（例えばＡＢＳ樹脂）を用いることができ、その表面を塗料、めっき等の反射用被膜で被覆してもよい。
【０００９】
このような装飾装置の上記隙間について、光遮断部の外周壁面と貫通孔の内周壁面との離間距離を、後方側ほど大きく前方側ほど小さく形成することが望ましい。これによって、光遮断部の前端外周縁と貫通孔の前端開口縁との離間距離が比較的小さくなるので、発光素子からの光は、隙間を通過しかつ拡径壁面で反射した後比較的拡散せずに、光遮断部及び貫通孔の輪郭をくっきりと鮮やかに浮かび上がらせることができる。
【００１０】
そして、光遮断部の内部において厚さ方向に貫通形成された挿通孔に、透光性を有する光通過部が配置され、発光素子からの光は、光遮断部又は貫通孔の輪郭を浮かび上がらせるように装飾するとともに、光通過部を透過して遊技者側に到達するようにしてもよい。このように、輪郭を浮かび上がらせる装飾光と、光通過部を透過した透過光とは光遮断部によって分断されて見えるため、装飾光を発生する発光素子を用いて新たな光装飾効果を付加することができる。
【００１１】
なお、光通過部はベース部や光遮断部と（例えば二色成形等により）一体的に構成してもよい。透光性を有する光通過部には、透明又は半透明の合成樹脂材料（例えばポリカーボネート（ＰＣ））を用いてもよい。また、光通過部の一部又は全部の表面にザラザラ面形成加工（シボ加工とも称する）を施すことによって、光通過部を透過した光が表面（ザラザラ面）で乱反射して広範囲での視認性を向上させるとともに、ベース部の後方に配置された発光素子等が透けて見えるのを防止することもできる。
【００１２】
次に、上記課題を解決するために、本発明の遊技機用入賞装置は、
上記の遊技機用発光素子式装飾装置において、
ベース部の前方側に配置され、前後方向の軸線周りでの回動変位により入賞口への遊技球の入球のし易さが変化する一対の回動翼片と、
遊技盤の盤面とは反対側の裏面側に配置され、回動翼片を回動変位させるための駆動源と、
その駆動源の駆動力を回動翼片に伝達するための伝動機構と、
を備えることを特徴とする。
【００１３】
これによって、回動翼片を有する入賞装置に、斬新で画期的な光装飾効果を付加することができる。
【００１４】
このような入賞装置では、光遮断部の前端面が、入賞口の後方側に位置して、ベース部の球通過面と面一状に配置されていることが望ましい。入賞口付近において、光遮断部の前端面がベース部の球通過面よりも前方に位置しないので、光遮断部が遊技球（入賞球）の入賞口付近での微妙な動きを阻害せず、光遮断部の前端外周縁部が遊技球との接触（衝突）による衝撃によって損傷を受ける（欠ける）のを防止できる。同様に、光通過部の前端面が、入賞口の後方側に位置して、光遮断部の前端面及びベース部の球通過面と面一状に配置されていてもよい。入賞口付近において、光通過部の前端面が、光遮断部の前端面及びベース部の球通過面よりも前方に位置しないので、光通過部が遊技球の入賞口付近での微妙な動きを阻害せず、光通過部の前端外周縁部が遊技球との接触（衝突）による衝撃によって損傷を受ける（欠ける）のを防止できる場合がある。
【００１５】
上記説明から明らかなように、本発明の入賞装置において「ベース部の球通過面と面一状」とは、「ベース部の球通過面と物理的に又は幾何学的に面一状態にあること」と「不可避的に又は意図的にベース部の球通過面よりもわずかに後方側に位置すること」とを含んでいる。後者の場合、不可避的には、加工時や組立時の製造誤差等が考慮され、意図的には、寸法公差（上下の寸法許容差に設計上の差を与えておく）等が考慮される。
【００１６】
そして、入賞口へ入球した遊技球をベース部の後方側に誘導・案内する球排出孔と貫通孔とを一体化し、これら一体化された貫通孔と球排出孔とを、入賞口の後方側に位置して、ベース部で厚さ方向に貫通形成することができる。これによって、球排出孔と貫通孔とが一体化されたベース部は、合成樹脂材料の一体成形加工等によって、切削加工等を要せず低コストで製造することが可能になる。
【００１７】
具体的には、貫通孔を球排出孔の上部に連続して形成するとともに、光遮断部の下端部が、球排出孔の底部に形成された排出樋に対応してゲートを構成し、入賞口へ入球した遊技球（入賞球）を１個ずつ後方側へ案内・排出することができる。排出樋とゲートとによって、入賞球を１個ずつ確実にベース部の後方側へ案内・排出できるので、装飾装置付き入賞装置の小型・コンパクト化を図りつつ、入賞球数カウントや賞球払出しが支障なくスムーズに行なえる。
【００１８】
入賞装置の回動翼片が、透光性を有するとともに、回動変位する際に正面視で隙間と少なくとも部分的かつ一時的に重なり合うように配置されている場合には、隙間からの装飾光が回動翼片で遮断されずによく見えるとともに、隙間と回動翼片とが重合したときに回動翼片も光って見えるので、装飾効果が向上する。
【００１９】
また、回動翼片が、透光性を有するとともに、回動変位する際に正面視で光通過部と少なくとも部分的かつ一時的に重なり合うように配置されている場合にも、光通過部からの透過光が回動翼片で遮断されずによく見えるとともに、光通過部と回動翼片とが重合したときに回動翼片も光って見えるので、装飾効果が向上する。
【００２０】
さらに、上記課題を解決するために、本発明の遊技機用入賞装置は、
上記の遊技機用発光素子式装飾装置において、
ベース部の前方側に形成された入賞口へ入球した遊技球をベース部の後方側に誘導・案内するために、ベース部に厚さ方向に貫通形成された球排出孔から後方側に配置された入賞検知手段に向けて延設される誘導樋部と、
ベース部に形成された球排出孔を覆うように、ベース部の前方側に配置される前側装飾部と、
を備えることを特徴とする。
【００２１】
これによって、入賞口を有する入賞装置に、斬新で画期的な光装飾効果を付加することができる。
【００２２】
このような入賞装置では、光遮断部とベース部の貫通孔とを入賞口の下方において対向配置することによって、隙間を形成することができる。光遮断部又は貫通孔の輪郭を浮かび上がらせる装飾光によって、相対的に光が届きにくく影ができやすかった入賞口の下方空間を鮮やかに彩ることができる。
【００２３】
また、光遮断部は、誘導樋部及び／又は前側装飾部の一部が、ベース部の貫通孔の内部において隙間を形成しつつ配置されることによって構成され、発光素子からの光は、光遮断部の外周壁面と貫通孔の内周壁面との間に形成された隙間を通り、かつそれらの壁面で反射されて、光遮断部又は貫通孔の輪郭を浮かび上がらせるように装飾することができる。このように、隙間形成のための光遮断部として誘導樋部や前側装飾部（の一部）を用いる（兼用させる）ことができるので、入賞装置の小型化・コンパクト化が促進される。
【発明を実施するための最良の形態】
【００２４】
（実施例１）
以下、図面を参照しながら発明の実施の形態について説明する。図１は本発明に係る遊技機用入賞装置（以下、単に入賞装置ともいう）の一例を前方から見た斜視図、図２はその入賞装置の分解斜視図、図３はその入賞装置の平面図、正面図、側面図及び背面図、図４は図３（ｂ）のＡ−Ａ断面図とそのＢ部拡大図を示す。図１に示すように、入賞装置１は、後述する遊技機用発光素子式装飾装置（以下、単に装飾装置ともいう）２を盤面２００（図３参照）に取り付けるための台板１０（ベース部）と、台板１０（装飾装置２）の前方側（遊技者側）に突出した形にて取付ビス５ａ（締結部材；図２参照）によって台板１０に固定される前側装飾部５と、を有している。
【００２５】
図２〜図４に示すように、台板１０と前側装飾部５との間に、透光性（透明性）を有する合成樹脂製（例えば透明のポリカーボネート製）の一対の回動翼片６，６が配置されている。各回動翼片６，６は、前側装飾部５に支持され、盤面２００と交差（直交）する前後方向の軸線を有する支持軸６ａ，６ａ周りで回動変位する。これによって、一対の回動翼片６，６を閉じて遊技球が入賞口６ｂに入球しにくくする状態（図１〜図３の状態）と、一対の回動翼片６，６を開いて遊技球が入賞口６ｂに入球し易くする状態（図７参照）とに変化する。
【００２６】
また、入賞装置１は、台板１０の後方側（遊技者側とは反対側）において、回動翼片６，６を回動変位させるためのソレノイド７（駆動源）と、ソレノイド７の前後方向駆動力を回動翼片６，６の回動変位に変換して伝達するための伝動機構８とを有する。なお、ハウジング３は、台板１０と一体成形されたケーシング部１４に取付ビス３ａ（締結部材）によって固定されるとともに、取付ビス７ａ（締結部材）によってソレノイド７を載置・固定している。また、入賞した遊技球を検知するための検知スイッチ９（入賞検知手段；例えば近接スイッチ等の非接触センサ）がハウジング３と台板１０（ケーシング部１４）との間で挟んで保持され、伝動機構８はハウジング３とケーシング部１４とに跨って収納されている（図４（ａ）参照）。
【００２７】
図２に示すように、装飾装置２は、非透光性（不透明性）を有する合成樹脂製（例えばＡＢＳ樹脂製）の台板１０と、非透光性（不透明性）を有する合成樹脂製（例えばＡＢＳ樹脂製）の装飾部材２０（光遮断部）と、透光性（透明性）を有する合成樹脂製（例えば透明のポリカーボネート製）の透明部材３０（光通過部）と、台板１０の後方側に配置された発光部４０と、を備えている。このうち、発光部４０は、１又は複数（例えば６個）のＬＥＤ素子４１（発光素子）と、ＬＥＤ素子４１が実装された発光基板４２とを有する（図６（ｂ）参照）。この発光基板４２は、取付ビス４２ａ（締結部材）によって台板１０と一体成形されたケーシング部１４の後端部に固定されている（図６（ａ）参照）。
【００２８】
図２及び図３に示すように、台板１０は、遊技者側（前方側）から見て所定の広がりを有する板状に形成され、遊技者の位置する前方側に遊技球を通過させるための球通過面１１、反対側（後方側）に遊技盤の盤面２００に取り付けるための取付面１２がそれぞれ形成されるとともに、装飾模様の形状に沿って厚さ方向に貫通する貫通孔１３を有している。
【００２９】
図２及び図４（ａ）に示すように、貫通孔１３は、入賞口６ｂへ入球した遊技球Ｐを台板１０の後方側に誘導・案内する球通路１５（球排出孔）等と一体化（一体形成）されている。そして、一体化された貫通孔１３と球通路１５とは、入賞口６ｂの後方側に位置して、台板１０で厚さ方向に貫通形成されている。
【００３０】
図５及び図６（ａ）に示すように、貫通孔１３は球通路１５の上部に連続して形成されている。装飾板状部２１の下端部（下端縁）は、球通路１５の底部に形成された排出樋１５ａに対応してアーチ状のゲート２１ｆを構成している。そこで、入賞口６ｂ（図６（ｂ）参照）へ入球した入賞球Ｐ（遊技球）は、排出樋１５ａとゲート２１ｆとによって１個ずつ後方側へ案内され、検知スイッチ９（図４（ａ）参照）で入賞カウントされて排出され、それに基づいて賞球払出しがなされる。
【００３１】
図２及び図３に戻り、装飾部材２０は、台板１０とは別体に構成されるとともに、台板１０の貫通孔１３の内部に所定の隙間Ｓが形成されるように前方側から嵌め込み配置される装飾模様形状の装飾板状部２１（光遮断部）と、装飾板状部２１の中心部に一体成形された円柱状の軸状ボス部２２（光遮断部）と、を有している。装飾板状部２１の内部には、装飾模様形状の挿通孔２３，２３が、軸状ボス部２２の周囲に１又は複数（例えば２個）配置される形態で、厚さ方向に貫通形成されている。さらに、透明部材３０は、台板１０及び装飾部材２０とは別体に構成されるとともに、後端部に底壁３２ａ（図４（ａ）参照）を有し中心部に配置された有底半円筒状の筒状ボス部３２（光通過部）と、筒状ボス部３２の周囲に１又は複数（例えば２個）配置される装飾模様形状の透明板状部３１，３１（光通過部）と、を有している。
【００３２】
そして、装飾部材２０の軸状ボス部２２は透明部材３０の筒状ボス部３２の内部に、軸状ボス部２２の先端面が筒状ボス部３２の底壁３２ａに接するまで、前方側から隙間なく嵌め込まれる。そして、両ボス部２２，３２は、それらの中心部に形成されたボス孔２２ｂ，３２ｂに後方側（底壁３２ａ側）から螺合する取付ビス１０ａ（締結部材）によって、台板１０（ケーシング部１４）に固定・配置されている（図４，図６（ｂ）参照）。また、透明部材３０の透明板状部３１，３１は、装飾部材２０の挿通孔２３，２３の内部に後方側から隙間なく嵌め込み配置されている（図６（ｂ）参照）。さらに、装飾板状部２１（装飾部材２０）の前端面２１ｂ及び透明板状部３１，３１（透明部材３０）の前端面３１ｂ，３１ｂは、いずれも入賞口６ｂの後方側に位置して台板１０の球通過面１１と面一状に配置されている（図６（ｂ）参照）。
【００３３】
図４（ｂ）に示すように、上記隙間Ｓは、貫通孔１３（台板１０）の内周壁面１３ａと装飾板状部２１（装飾部材２０）の外周壁面２１ａとの間に形成される。具体的には、貫通孔１３の内周壁面１３ａと装飾板状部２１の外周壁面２１ａとは、ともに前方側（遊技者側）ほど単調に（例えば直線的に）増加する形で外側に拡がる拡径壁面（例えば円錐状テーパ面）を構成して対向配置されているので、隙間Ｓは前方拡がり状空間（例えばランプシェード状空間）を形成する。このとき、貫通孔１３の後端開口縁１３ｃ（後端内周縁）は、装飾板状部２１の前端外周縁２１ｃよりも径方向内側に位置するように配置されている。
【００３４】
ところで、隙間Ｓの大きさ（厚さ）Ｗ（すなわち、貫通孔１３の内周壁面１３ａと装飾板状部２１の外周壁面２１ａとの離間距離）は、台板１０の板厚ｔ１よりも小（Ｗ＜ｔ１）に形成されている。また、隙間Ｓの大きさ（厚さ）Ｗは、装飾板状部２１の板厚ｔ２よりも小（Ｗ＜ｔ２）に形成されている。さらに、隙間Ｓの大きさ（厚さ）Ｗは、後方側ほど大きく前方側ほど小さく形成されている。すなわち、後端隙間の大きさ（厚さ）Ｗｒ（貫通孔１３の取付面１２側の後端開口縁１３ｃと装飾板状部２１の後端面２１ｄ側の後端外周縁２１ｅとの間の離間距離）は、前端隙間の大きさ（厚さ）Ｗｆ（貫通孔１３の球通過面１１側の前端開口縁１３ｂ（前端内周縁）と装飾板状部２１の前端面２１ｂ側の前端外周縁２１ｃとの間の離間距離）よりも大（Ｗｒ＞Ｗｆ）に形成されている。
【００３５】
図５及び図６から明らかなように、ＬＥＤ素子４１は、台板１０の貫通孔１３の後方において、貫通孔１３の後端開口縁１３ｃ（図４（ｂ）参照）よりも径方向内側（かつ、装飾板状部２１の後端外周縁２１ｅ（図４（ｂ）参照）よりも径方向内側）に配置されている。一方、一対の回動翼片６，６は、図７に実線で示す閉状態では、透明板状部３１と部分的に重なり合い、図７に仮想線で示すように閉状態→開状態に至る途中及び開状態→閉状態に至る途中では、隙間Ｓと部分的に重なり合う。
【００３６】
このような入賞装置１（装飾装置２）では、図６（ｂ）に示すように、ＬＥＤ素子４１からの光は、貫通孔１３の内周壁面１３ａと装飾板状部２１の外周壁面２１ａとの間に形成された隙間Ｓを通り、かつ両拡径壁面１３ａ，２１ａで反射されて、装飾板状部２１（貫通孔１３）の輪郭を浮かび上がらせるように装飾する。それと同時に、ＬＥＤ素子４１からの光は、透明板状部３１を透過して遊技者側に到達する。さらに、透明板状部３１を透過した光は、閉状態の回動翼片６，６を透過して（又は回動翼片６，６で反射して）光らせる。また、隙間Ｓを通った光は、開閉中間位置の回動翼片６，６を透過して（又は回動翼片６，６で反射して）光らせる（図７参照）。
【００３７】
このように、隙間Ｓを形成する貫通孔１３の内周壁面１３ａと装飾板状部２１の外周壁面２１ａとが拡径壁面として対向配置され、貫通孔１３の後端開口縁１３ｃが装飾板状部２１の前端外周縁２１ｃよりも内側に位置する。これによって、ＬＥＤ素子４１からの光は、隙間Ｓを形成する両拡径壁面１３ａ，２１ａで反射されやすくなり、かつ内側から外側に向かって拡がる態様となるため、浮き出る（飛び出す）ようなダイナミックで迫力のある光装飾効果が得られる。また、装飾板状部２１（貫通孔１３）の輪郭を浮かび上がらせる装飾光と、透明板状部３１を透過した透過光とは装飾板状部２１によって分断されて見えるため、装飾光を発生するＬＥＤ素子４１を用いて新たな光装飾効果が付加される。さらに、隙間Ｓからの装飾光や透明板状部３１からの透過光が回動翼片６，６で遮断されずによく見えるとともに、これらの光によって回動翼片６，６も光って見えるので、装飾効果が向上する。
【００３８】
そして、図４（ｂ）や図６（ｂ）を遊技者側（正面側）から見ると、隙間Ｓを形成する貫通孔１３の内周壁面１３ａと装飾板状部２１の外周壁面２１ａとが前後に重なり合っている。このため、遊技者からは台板１０や装飾板状部２１の後方が透けて見えたり、隙間Ｓを突き抜けて後方のＬＥＤ素子４１等が見えたりしないので、見映えがよくなる。
【００３９】
図４の通り、隙間Ｓの大きさ（厚さ）Ｗは、台板１０の板厚ｔ１及び装飾板状部２１の板厚ｔ２よりも小（Ｗ＜ｔ１，Ｗ＜ｔ２）、かつ後方側ほど大きく前方側ほど小さく形成されている。これらによって、前端隙間の大きさ（厚さ）Ｗｆが比較的小さくなるので、ＬＥＤ素子４１からの光は、隙間Ｓを通過しかつ両拡径壁面１３ａ，２１ａで反射した後比較的拡散せず、装飾板状部２１及び貫通孔１３の輪郭をくっきりと鮮やかに浮かび上がらせる。
【００４０】
図４の通り、入賞口６ｂ付近において、透明板状部３１の前端面３１ｂ及び装飾板状部２１の前端面２１ｂがともに台板１０の球通過面１１よりも前方に位置しない。また、装飾部材２０及び透明部材３０は、軸状ボス部２２が筒状ボス部３２に挿入され、両ボス部２２，３２は、後方側（底壁３２ａ側）からボス孔２２ｂ，３２ｂに螺合する取付ビス１０ａによって、台板１０（ケーシング部１４）に固定されている。これらによって、透明板状部３１、装飾板状部２１、取付ビス１０ａ等が入賞球Ｐの入賞口６ｂ付近での微妙な動きを阻害せず、透明板状部３１の前端外周縁部や装飾板状部２１の前端外周縁部２１ｃが入賞球Ｐと直接衝突しにくくなり、欠け等の発生を防止できる。また、両ボス部２２，３２の嵌合によって、貫通孔１３（台板１０）、装飾板状部２１、透明部材３１の三者の位置決めが容易に行えるので、周方向における隙間Ｓの大きさ（厚さ）Ｗの分布、装飾光と透過光とのバランス等に製造時の個体差（製造誤差）を生じにくい。
【００４１】
さらに、図５及び図６の通り、入賞口６ｂへ入球した入賞球Ｐは、排出樋１５ａとゲート２１ｆとによって１個ずつ確実に台板１０の後方側へ案内されるので、検知スイッチ９（図４（ａ）参照）での入賞球数カウントやそれに基づく賞球払出しが支障なくスムーズに行なえる。このように、入賞装置１に装飾装置２を小型・コンパクトに組み込むことができる。
【００４２】
（実施例２）
図８は本発明に係る遊技機用入賞装置（以下、単に入賞装置ともいう）の他の例を示す側面断面図とそのＤ部拡大図を示す。図８に示すように、入賞装置１０１は、後述する遊技機用発光素子式装飾装置（以下、単に装飾装置ともいう）１０２を盤面２００に取り付けるための台板１０（ベース部）と、台板１０の下部前方側（遊技者側）に固定される前側装飾部５（装飾部材；光遮断部）と、台板１０の下部後方側（遊技者と反対側）に固定される誘導樋部１６と、を備えている。
【００４３】
誘導樋部１６は、台板１０に厚さ方向に貫通形成された球通路１５（球排出孔）から後方側に配置された検知スイッチ９（入賞検知手段）に向けて延設されていて、台板１０の前方側に形成された入賞口６ｂへ入球した入賞球Ｐ（遊技球）を台板１０の後方側に誘導・案内する。この誘導樋部１６は、台板１０と一体成形されたケーシング部１４の内側底面に形成されている。また、前側装飾部５は、台板１０に形成された球通路１５を前方側から覆うように、台板１０（装飾装置２）の前方側に突出した形にて取付ビス５ａ（締結部材；図２参照）によって台板１０に固定されている。
【００４４】
装飾装置１０２は、非透光性（不透明性）を有する合成樹脂製（例えばＡＢＳ樹脂製）の台板１０と、非透光性（不透明性）を有する合成樹脂製（例えばＡＢＳ樹脂製）の前側装飾部５（装飾部材；光遮断部）と、台板１０の後方側に配置された発光部１４０と、を備えている。このうち、発光部１４０は、１又は複数（例えば１個）のＬＥＤ素子１４１（発光素子）と、ＬＥＤ素子１４１が実装された発光基板１４２とを有する。
【００４５】
台板１０は、遊技者側（前方側）から見て所定の広がりを有する板状に形成され、入賞口６ｂの下方位置において、装飾模様の形状に沿って厚さ方向に貫通する貫通孔３を有している。
【００４６】
前側装飾部５は、台板１０とは別体に構成されるとともに、台板１０の貫通孔３の内部に所定の隙間Ｓが形成されるように前方側から嵌め込み配置される装飾模様形状の装飾板状部５１（光遮断部）と、入賞口６ｂに入球した入賞球Ｐを球通路１５及び誘導樋部１６へ案内するために後方下がりに傾斜する入賞樋部５２（光遮断部）と、を有している。これらの装飾板状部５１と入賞樋部５２とは例えば一体成形によって一体的に構成され、装飾板状部５１は入賞樋部５２の後端部を下向きに（ほぼ直角状に）折り曲げるようにして形成されている。
【００４７】
図８（ｂ）に示すように、上記隙間Ｓは、誘導樋部１６及び前側装飾部５の下方位置において、貫通孔３（台板１０）の内周壁面３ａと装飾板状部５１（前側装飾部５）の外周壁面５１ａとの間に形成される。具体的には、貫通孔３の内周壁面３ａと装飾板状部５１の外周壁面５１ａとは、ともに前方側（遊技者側）ほど単調に（例えば直線的に）増加する形で外側に拡がる拡径壁面（例えば円錐状テーパ面）を構成して対向配置されているので、隙間Ｓは前方拡がり状空間（例えばランプシェード状空間）を形成する。このとき、貫通孔３の後端開口縁３ｃ（後端内周縁）は、装飾板状部５１の前端外周縁５１ｃよりも径方向内側に位置するように配置されている。
【００４８】
ところで、隙間Ｓの大きさ（厚さ）Ｗ（すなわち、貫通孔３の内周壁面３ａと装飾板状部５１の外周壁面５１ａとの離間距離）は、台板１０の板厚ｔ１よりも小（Ｗ＜ｔ１）に形成されている。また、隙間Ｓの大きさ（厚さ）Ｗは、装飾板状部５１の板厚ｔ２よりも小（Ｗ＜ｔ２）に形成されている。さらに、隙間Ｓの大きさ（厚さ）Ｗは、後方側ほど大きく前方側ほど小さく形成されている。すなわち、後端隙間の大きさ（厚さ）Ｗｒ（貫通孔３の取付面１２側の後端開口縁３ｃと装飾板状部５１の後端面５１ｄ側の後端外周縁５１ｅとの間の離間距離）は、前端隙間の大きさ（厚さ）Ｗｆ（貫通孔３の球通過面１１側の前端開口縁３ｂ（前端内周縁）と装飾板状部５１の前端面５１ｂ側の前端外周縁５１ｃとの間の離間距離）よりも大（Ｗｒ＞Ｗｆ）に形成されている。
【００４９】
ＬＥＤ素子１４１は、台板１０の貫通孔３の後方において、貫通孔３の後端開口縁３ｃよりも径方向内側（かつ、装飾板状部５１の後端外周縁５１ｅよりも径方向内側）に配置されている。
【００５０】
このような入賞装置１０１（装飾装置１０２）では、ＬＥＤ素子１４１からの光は、貫通孔３の内周壁面３ａと装飾板状部５１の外周壁面５１ａとの間に形成された隙間Ｓを通り、かつ両拡径壁面３ａ，５１ａで反射されて、装飾板状部５１（貫通孔３）の輪郭を浮かび上がらせるように装飾する。このように、隙間Ｓを形成する貫通孔３の内周壁面３ａと装飾板状部５１の外周壁面５１ａとが拡径壁面として対向配置され、貫通孔３の後端開口縁３ｃが装飾板状部５１の前端外周縁５１ｃよりも内側に位置する。これによって、ＬＥＤ素子１４１からの光は、隙間Ｓを形成する両拡径壁面３ａ，５１ａで反射されやすくなり、かつ内側から外側に向かって拡がる態様となるため、浮き出る（飛び出す）ようなダイナミックで迫力のある光装飾効果が得られる。
【００５１】
そして、図８（ｂ）を遊技者側（正面側）から見ると、隙間Ｓを形成する貫通孔３の内周壁面３ａと装飾板状部５１の外周壁面５１ａとが前後に重なり合っている。このため、遊技者からは台板１０や装飾板状部５１の後方が透けて見えたり、隙間Ｓを突き抜けて後方のＬＥＤ素子１４１等が見えたりしないので、見映えがよくなる。
【００５２】
隙間Ｓの大きさ（厚さ）Ｗは、台板１０の板厚ｔ１及び装飾板状部５１の板厚ｔ２よりも小（Ｗ＜ｔ１，Ｗ＜ｔ２）、かつ後方側ほど大きく前方側ほど小さく形成されている。これらによって、前端隙間の大きさ（厚さ）Ｗｆが比較的小さくなるので、ＬＥＤ素子１４１からの光は、隙間Ｓを通過しかつ両拡径壁面３ａ，５１ａで反射した後比較的拡散せず、装飾板状部５１及び貫通孔３の輪郭をくっきりと鮮やかに浮かび上がらせる。
【００５３】
装飾板状部５１と貫通孔３とを入賞口６ｂの下方において対向配置することによって隙間Ｓが形成されるので、装飾板状部５１（貫通孔３）の輪郭を浮かび上がらせる装飾光によって、相対的に光が届きにくく影ができやすかった入賞口６ｂの下方空間を鮮やかに彩ることができる。また、前側装飾部５の一部である装飾板状部５１が、貫通孔３の内部において隙間Ｓを形成しつつ配置されることによって、光遮断部を構成するので、前側装飾部５が光遮断部を兼用することになり、入賞装置１０１を小型化できる。なお、装飾板状部５１の代わりに、又は装飾板状部５１とともに、誘導樋部１６の一部を用いて光遮断部（装飾部材）を構成してもよい。
【００５４】
ところで、実施例２（図８）には、実施例１（図１〜図７）で説明したＢ部を中心とする装飾装置２も実施例１と同様に設けられている。図８（実施例２）のＢ部周辺において、図４（実施例１）のＢ部周辺と共通する機能を有する部分には同一符号を付して説明を省略する。
【００５５】
また、実施例２（図８）のＤ部には光通過部が設けられていないが、前側装飾部５を二色成形して装飾板状部５１の内部に光通過部を形成したり、前側装飾部５全体を透明としその一部表面に塗料やめっきを施すことにより光通過部と光遮断部（装飾板状部５１）とに区画形成したりしてもよい。さらに、Ｄ部に設けられた貫通孔３は、球通路１５等と一体化（一体形成）されていてもいなくてもいずれでもよい。
【図面の簡単な説明】
【００５６】
【図１】本発明に係る入賞装置の一例を前方から見た斜視図。
【図２】図１の入賞装置の分解斜視図。
【図３】図１の入賞装置の平面図、正面図、側面図及び背面図。
【図４】図３（ｂ）のＡ−Ａ断面図とそのＢ部拡大図。
【図５】図１の主要部の正面図。
【図６】図１の主要部の背面図及びそのＣ−Ｃ断面図。
【図７】図１の入賞装置の作動を示す正面図。
【図８】本発明に係る入賞装置の他の例を示す側面断面図とそのＤ部拡大図。
【符号の説明】
【００５７】
１，１０１    入賞装置（遊技機用入賞装置）
２，１０２    装飾装置（遊技機用発光素子式装飾装置）
３            貫通孔
３ａ          内周壁面（拡径壁面）
３ｃ          後端開口縁（後端内周縁）
５            前側装飾部（装飾部材；光遮断部）
５１          装飾板状部（光遮断部）
５１ａ        外周壁面（拡径壁面）
５１ｂ        前端面
５１ｃ        前端外周縁
５２          入賞樋部（光遮断部）
６            回動翼片
７            ソレノイド（駆動源）
８            伝動機構
１０          台板（ベース部）
１１          球通過面
１２          取付面
１３          貫通孔
１３ａ        内周壁面（拡径壁面）
１３ｃ        後端開口縁（後端内周縁）
１５          球通路（球排出孔）
１５ａ        排出樋
１６          誘導樋部
２０          装飾部材（光遮断部）
２１          装飾板状部（光遮断部）
２１ａ        外周壁面（拡径壁面）
２１ｂ        前端面
２１ｃ        前端外周縁
２１ｆ        ゲート
２３          挿通孔
３０          透明部材（光通過部）
３１          透明板状部（光通過部）
３１ｂ        前端面
４０，１４０  発光部
４１，１４１  ＬＥＤ素子（発光素子）
４２，１４２  発光基板
【図１】
2006204629.tif 000003
【図２】
2006204629.tif 000004
【図３】
2006204629.tif 000005
【図４】
2006204629.tif 000006
【図５】
2006204629.tif 000007
【図６】
2006204629.tif 000008
【図７】
2006204629.tif 000009
【図８】
2006204629.tif 000010